Podtech/llm-jp-corpus-v4-ja_patent huggingface dataset:
(57)【要約】      （修正有）【課題】便器内に排泄された人の排泄物等により生ずる悪臭を効率的に除去し得る便器の除臭装置を提供する。【解決手段】便器１の上縁３における一端３ａに便座５を起伏自在に枢設し、該便座５の下面にクッション７を取り付けてなる便器において、前記便器１の上縁３と前記便座５の下面５ａとの間に吸気管９を配設し、該吸気管９には該便器１の開口部１１に臨む複数の吸気孔１３を備えさせ、該吸気管９を吸引・除臭を行なう換気装置１５ａ及び吸臭装置１５ｂよりなる除臭手段に接続して消臭装置を構成する。【選択図】図１
0003151354.tif 000002
【実用新案登録請求の範囲】
【請求項１】
便器の上縁における一端に便座を起伏自在に枢設し、該便座の下面にクッションを取り付けてなる便器において、
前記便器の上縁と前記便座の下面との間に吸気管を配設し、該吸気管には該便器の開口部に臨む複数の吸気孔を備えさせ、該吸気管を吸引・除臭を行なう除臭手段に接続させたことを特徴とする便器の消臭装置。
【考案の詳細な説明】
【技術分野】
【０００１】
本考案は、便器の除臭装置に関するものであり、更に詳しくは、便器内の排泄物等から発生する悪臭を除去するようにした便器の除臭装置に係るものである。
【背景技術】
【０００２】
便器の除臭装置としては、実開平６−２９６号公報に示すように、便器に殺菌灯を備えさせてなるもの（以下「従来の便器の除臭装置」という。）が既に知られている。
【先行技術文献】
【特許文献】
【０００３】
【特許文献１】実開平６−２９６号公報
【考案の概要】
【考案が解決しようとする課題】
【０００４】
トイレの悪臭は便器内に排泄された人の排泄物等により生ずるものであるが、上記従来の便器の除臭装置における殺菌灯は必ずしもこのような悪臭を効率的に除去し得るものではない。
【０００５】
本考案は、便器内に排泄された人の排泄物等により生ずる悪臭を効率的に除去し得る便器の除臭装置を提供しようとしてなされたものである。
【課題を解決するための手段】
【０００６】
上記課題を解決するために、本考案は、下記の便器の除臭装置を提供するものである。
【０００７】
便器の上縁における一端に便座を起伏自在に枢設し、該便座の下面にクッションを取り付けてなる便器において、
前記便器の上縁と前記便座の下面との間に吸気管を配設し、該吸気管には該便器の開口部に臨む複数の吸気孔を備えさせ、該吸気管を吸引・除臭を行なう除臭手段に接続させたことを特徴とする便器の消臭装置。
【考案の効果】
【０００８】
本考案によれば、便器内に排泄された人の排泄物等により生じた臭気は、除臭手段の吸引により、便器の開口部に臨む吸気管の吸気孔より該吸気管を経て該除臭手段に至り、除臭される。
【０００９】
したがって、本考案によれば、便器内に排泄された人の排泄物等により生ずる悪臭は、効率的に除去される。
【図面の簡単な説明】
【００１０】
【図１】図１は、本考案による便器の消臭装置の一例を示す平面図である。
【図２】図２は、同上の断面図である。
【図３】図３は、除臭手段の一例を示す断面図である。
【考案を実施するための形態】
【００１１】
本考案は、便器１の上縁３における一端３ａに便座５を起伏自在に枢設し、該便座５の下面５ａにクッション７を取り付けてなる洋式の便器に適用されるものである。
【００１２】
便器１の上縁３と便座５の下面５ａとの間に吸気管９を配設する。
【００１３】
すなわち、吸気管９は、図２に示す如く便座５の下面５ａに取り付けてもよいが、便器１の上縁３に取り付けてもよい。
【００１４】
図２に示す事例においては、吸気管９は、略長円形状ないし略楕円形状の断面を備えているが、吸気管９は、断面形状の如何を問うものではなく、例えば円形、略長方形等、いかなる断面形状を備えたものであってもよい。
【００１５】
吸気管９には便器１の開口部１１に臨む複数の吸気孔１３、１３・・・を備えさせる。
【００１６】
吸気管９は、吸引・除臭を行なう除臭手段１５に接続させる。
【００１７】
除臭手段１５は、例えば、換気扇を備えた換気装置１５ａ、吸臭装置１５ｂ等とする。
【００１８】
除臭手段１５として換気装置１５ａを使用する場合には、吸気管９を換気装置１５ａの配管１７に接続し、換気装置１５ａの換気扇（ファン）１９により臭気を吸引させ、トイレの外方に排出させることにより除臭させる。図３参照。なお、図３において符号２１に示すものは、トイレの壁である。
【００１９】
すなわち、換気装置１５ａの換気扇１９を作動させることにより、便器１内に排泄された人の排泄物等により生じた臭気を吸気管９の吸気孔１３、１３・・・より該吸気管９を介して吸引させ、該臭気をトイレの外方に排出させることにより除臭する。
【００２０】
除臭手段１５として使用される吸臭装置１５ｂは、一例として、ファン（図示せず。）により臭気を吸引させ、該臭気を吸臭剤に吸着させると共にマイナスイオンを発生させるようにしたものである。
【００２１】
すなわち、吸臭装置１５ｂのファンを作動させることにより、便器１内に排泄された人の排泄物等により生じた臭気を吸気管９の吸気孔１３、１３・・・より該吸気管９を介して吸引させ、該臭気を吸臭剤に吸着させると共にマイナスイオンを発生させることにより除臭する。
【００２２】
換気装置１５ａの換気扇又は吸臭装置１５ｂのファンは、トイレの使用者が適宜のスイッチ操作により作動・停止させるようにしてもよいが、例えばトイレの使用者の着座状態・非着座状態を検知する適宜のセンサーを配設し、該センサーが着座状態を検知したときにファンを作動させ、非着座状態ではファンを停止させるようにしてもよい。
【符号の説明】
【００２３】
１  便器
３  上縁
３ａ  一端
５  便座
５ａ  下面
７  クッション
９  吸気管
１１  開口部
１３  吸気孔
１５  除臭手段
１５ａ  換気装置
１５ｂ  吸臭装置
１７  配管
１９  換気扇
２１  壁
【図１】
0003151354.tif 000003
【図２】
0003151354.tif 000004
【図３】
0003151354.tif 000005
(57)【要約】【課題】  エアドライバーによる締結作業時、石膏板がショックで破裂しないねじを提供する。【解決手段】  ねじ頭１のすぐ下に第一ねじ山部２が、第一ねじ山部２の下に連続して第二ねじ山部３が形成される。第一ねじ山部２、第二ねじ山部３は、二条ねじ山で形成され、その第二ねじ山部３の各ねじ山３１、３２は、その上ねじ山面と下ねじ山面が成す夾角が９０度以上である。【選択図】  図１
0003155803.tif 000002
【実用新案登録請求の範囲】
【請求項１】
そのねじ頭の下の本体部に一つの第一ねじ山部と、前記第一ねじ山部の下に連続して形成される一つの第二ねじ山部とを持ち、前記第二ねじ山部の各ねじ山は、その上ねじ山面とその下ねじ山面が成す夾角が９０度以上であることを特徴とするねじ。
【請求項２】
その中の前記第一ねじ山部は一条ねじ山であることを特徴とする請求項１記載のねじ。
【請求項３】
その中の前記第一ねじ山部は二条ねじ山であることを特徴とする請求項１記載のねじ。
【請求項４】
その中の前記第二ねじ山部は一条ねじ山であることを特徴とする請求項１記載のねじ。
【請求項５】
その中の前記第二ねじ山部は二条ねじ山であることを特徴とする請求項１記載のねじ。
【考案の詳細な説明】
【技術分野】
【０００１】
本考案はねじの構造に関する。
【背景技術】
【０００２】
伝統的に使用されるねじは、普通品物の固定に利用される。その異なる目的により各種の異なる構造に設計される。目的とは、孔あけ速度、けずり屑の排出速度、締め付け効果等で、そのねじ山は一条ねじや二条ねじがある外、ねじ山の角度を色々変化させているものもある。
【考案の概要】
【考案が解決しようとする課題】
【０００３】
本考案は、特に石膏板と薄鉄板或いはその他の材質の板とを固く締結させるねじを提供することを目的とする。石膏板と薄鉄板を締結させるには普通エアドライバーでねじを石膏板の中に締め込む作業をするが、石膏板がそのショックで破裂し易すく、石膏板と薄鉄板の間に過度の隙間が発生し、両者が密着して締結されないという問題がある。
【課題を解決するための手段】
【０００４】
それで本考案のねじは、ねじの頭の下に第一ねじ山部を形成し、且つこの第一ねじ山部の下に連続して第二ねじ山部を形成する。なお、第一ねじ山部と第二ねじ山部は一条ねじ山または二条ねじ山で形成し、且つ第二ねじ山部の各ねじ山の上ねじ山面と下ねじ山面が成す夾角は９０度以上にする。
【図面の簡単な説明】
【０００５】
【図１】本考案のねじの一実施形態を示す側面図である。
【図２】本考案のねじの一実施形態を示す部分断面図である。
【考案を実施するための形態】
【０００６】
本考案のねじの一実施形態は図１に示す様に、そのねじ頭１の下の本体部に一つの第一ねじ山部２と、この第一ねじ山部２の下に連続する一つの第二ねじ山部３とを形成する。第一ねじ山部２はねじ頭１のすぐ下に形成されて、二条ねじ山２１、２２で形成されている。第二ねじ山部３は第一ねじ山部２の下からねじの先端１０の間に設置されて、二条ねじ山３１、３２で形成されている。
【０００７】
図２に示す様に、第二ねじ山部３のねじ山部３１、３２の上ねじ山面３１１、３２１と下ねじ山面３１２、３２２が形成する夾角Ａは９０度以上にする。
【０００８】
本考案のねじの他の実施形態は、第一ねじ山部２を一条ねじ山２１に形成してもよく、且つ第二ねじ山部３も一条ねじ山３１に形成してもよい。また、（１）第一ねじ山部２は一条ねじ山２１にして、第二ねじ山部３は二条ねじ山部３１、３２にする、又は（２）第一ねじ山部２は二条ねじ山２１、２２にして、第二ねじ山部３は一条ねじ山３１にする、という組合せにより広範囲にその構造を変化させることができる。
【０００９】
その中で重要な点としては、その第二ねじ山部３が一条ねじ山３１或いは二条ねじ山３１、３２のいずれであっても、その上ねじ山面３１１或いは３１１、３２１と、下ねじ山面３１２或いは３１２、３２２とが成す夾角Ａは９０度以上とすることである。
【００１０】
それで本考案のねじは、石膏板を薄鉄板と固く締結する時、エアドライバーで本ねじを石膏板の中に締め込んでも石膏板がショックで破裂や亀裂を生じることがなく、石膏板と薄鉄板の間に過度の隙間を発生させない効果がある。
【符号の説明】
【００１１】
１：ねじ頭、１０：先端、２：第一ねじ山部、２１：ねじ山、２２：ねじ山、３：第二ねじ山部、３１：ねじ山、３１１：上ねじ山面、３１２：下ねじ山面、３２：ねじ山、３２１：上ねじ山面、３２２：下ねじ山面、Ａ：夾角
【図１】
0003155803.tif 000003
【図２】
0003155803.tif 000004
(57)【要約】      （修正有）【課題】屋内のクローゼットの扉表面に装着し、該クローゼットを前面から見れば、装飾効果に優れた装飾体であり、側面から見れば、該装飾体の背部に軸を設けており、該軸がクローゼットに装着するハンガーの吊り下げ具を提供する。【解決手段】縦・横適宜な寸法を有する装飾体１を設け、該装飾体１の裏面には、ハンガーＸを吊り下げるための支軸２を設け、該支軸２の端部には支軸板３を設け、該支軸板３を介して装飾体１をクローゼットの扉Ｙに設けたことを特徴とする。クローゼットの扉Ｙに装飾体を施すことにより、該クローゼットならびにその室内を美麗に装飾できし、必要時には、装飾体の裏面の支軸２に、洋服を吊るしたハンガーＸを係止することができ、一々、クローゼット等に収納する煩雑さがない。【選択図】図３
0003155804.tif 000002
【実用新案登録請求の範囲】
【請求項１】
縦・横適宜な寸法を有する装飾体（１）を設け、該装飾体（１）の裏面には、ハンガー（Ｘ）を吊り下げるための支軸（２）を設け、該支軸（２）の端部には支軸板（３）を設け、該支軸板（３）を介して装飾体（１）をクローゼットの扉（Ｙ）に設けたことを特徴とするクロゼットの扉に装着するハンガー吊り下げ具。
【考案の詳細な説明】
【技術分野】
【０００１】
この考案は、クローゼットに装着するハンガーの吊り下げ具に関するものある。
【背景技術】
【０００２】
従来、室内に、収納家具を配置すると、部屋が狭くなるため、室内の壁面と、扉が面一に形成されたクローゼット（衣類などを入れる戸棚）が設けられており、背広やワンピース等の洋服類は、該クローゼット内に、ハンガーに吊るして収納しておくものである。
【０００３】
しかし、外出先から帰ると、一々、クローゼット内に吊り下げて収納するには面倒であり、また、煙草の臭いや雑菌の付着した洋服を、直ぐに、クローゼット内に収納することには、抵抗があり、大抵は、部屋の隅に置かれた洋服掛けに、洋服をかけたハンガーを吊るしている。
【０００４】
そのため、この洋服掛けは、円板状の基台に支柱が設けられ、該支柱に複数段に放射状に支軸が組まれて構成してあり、全周から洋服類を掛けることができ、しかも、頂部には帽子を掛けることができ、大変便利なものであるが、部屋内では場所を占めるため、部屋が狭くなり、使い勝手が悪いものであり、クローゼットにした意味がない。
【０００５】
しかし、ヨーロッパ等のホテルや、個々の建物の内壁や家具等の表面においては、金等の高価な素材を用いて装飾したものがあり、これにより部屋のグレードはもちろん、家具のグレードも上がり、住人の美的センスも評価されると共に、建物そのものの美的価値が上がる結果となっている。
【０００６】
そのため、このような装飾を利用して、その装飾に加工を加え、部屋や家具のグレードが増し、さらに、洋服等の衣類を、場所を占めずに一時的に吊り下げておけるハンガーの吊り下げ具を設け、部屋を、従来どおり広く使用でき便利であり、かつ、部屋を美麗に飾ることのできる吊り下げ具の出現が待たれるものである。
【考案の概要】
【考案が解決しようとする課題】
【０００７】
そこで、この考案の課題は、屋内のクローゼットの扉表面に装着し、該クローゼットを前面から見れば、装飾効果に優れた装飾体であり、側面から見れば、該装飾体の背部に軸を設けており、該軸がクローゼットに装着するハンガーの吊り下げ具を開発・提供することにある。
【課題を解決するための手段】
【０００８】
この考案による課題を解決するための手段として、クローゼットの扉の正面に装飾体を設け、該装飾体の裏面にはハンガーを係止する支軸を設けることにより、装飾体は、そのデザインや素材次第で室内の美的な飾りとなるクローゼットに装着するハンガーの吊り下げ具である。
【考案の効果】
【０００９】
この考案によると、クローゼットの扉（Ｙ）に装飾体を施すことにより、該クローゼットならびにその室内を美麗に装飾できし、必要時には、装飾体の裏面の支軸（２）に、洋服を吊るしたハンガー（Ｘ）を係止することができ、一々、クローゼット等に収納する煩雑さがない等極めて有益なる効果を有する。
【図面の簡単な説明】
【００１０】
【図１】この考案の一実施例を示す正面図である。
【図２】この考案の一実施例を示す部分拡大正面図である。
【図３】この考案の使用状態を示し、（ａ）は、一部欠截側面図であり、（ｂ）は、一部欠截断面図である。
【図４】この考案の使用状態を示す正面図である。
【考案を実施するための形態】
【００１１】
以下、この考案の好適な実施の形態について述べると、装飾体を支軸を介してクローゼットの扉に、接着あるいはボルトにて締付固定したものであり、装飾体は、その形状や素材によって、それぞれ美観の異なるものであり、前記支軸に洋服を吊るしたハンガーを係止する家具に装着するハンガーの吊り下げ具である。
【実施例】
【００１２】
この考案の一実施例を図１に従って詳細に説明すると、縦・横適宜な寸法を有する装飾体（１）を設け、該装飾体（１）の裏面には、ハンガー（Ｘ）を吊り下げるための支軸（２）を設け、該支軸（２）の端部には支軸板（３）を設けたことを特徴とするクローゼットの扉（Ｙ）に装着するハンガー吊り下げ具から構成される。
【００１３】
これら、装飾体（１）の大きさは、装着するクローゼットの扉（Ｙ）の大きさや、ハンガーとのバランスによるが、縦・横、７ｃｍ程度であり、該装飾体（１）の裏面に装着する支軸（２）の長さは、１０〜１５ｃｍであり、該支軸（２）と固定する支軸板（３）の大きさは、縦・横、５ｃｍ程度である。
【００１４】
そして、支軸板（３）は、接着剤（４）を介してクローゼットの扉（Ｙ）に固定したり、あるいは、ボルト（５）にてクローゼットの扉（Ｙ）に締め付け固定するものである。  
【００１５】
尚、装飾体（１）の形状は、動物、花等の植物、風景、自分のデザイン等、すべて森羅万象のすべてをいい、特に限定はしない。
【００１６】
また、装飾体（１）の素材は、合成樹脂、ガラス、アルミ、銅、真鍮、鉄、鋳物、銀、金等すべてを含むものである。
【産業上の利用可能性】
【００１７】
この考案のクローゼットに装着するハンガー吊り下げ具の技術を確立し、実施・販売することにより、産業上利用できるものである。
【符号の説明】
【００１８】
１  装飾体
２  支軸
３  支軸板
４  接着剤
５  ボルト
Ｘ  ハンガー
Ｙ  クローゼットの扉
【図１】
0003155804.tif 000003
【図２】
0003155804.tif 000004
【図３】
0003155804.tif 000005
【図４】
0003155804.tif 000006
(57)【要約】      （修正有）【課題】後から使用する人も新しくバスマットを変えることなく水濡れしていない状態で使用できるバスマットを提供する。【解決手段】吸水性に優れた多孔質の奥能登珪藻土１を、木枠２の表凹面に塗りつける。木枠２の表凹面には金網３をホッチキス４により貼り付け、粘性に乏しい奥能登珪藻土１と木枠２の接着力を強固なものにした。奧能登珪藻土１の高い吸水性により、使用者の足などに付着した水分は瞬時に吸引される。又、吸引された水分による床の水濡れも起こらない。【選択図】図３
0003155896.tif 000002
【実用新案登録請求の範囲】
【請求項１】
奥能登珪藻土を木枠の表凹面に塗りつけたバスマット
【考案の詳細な説明】
【技術分野】
【０００１】本考案は奥能登珪藻土を用いたバスマットです。
【背景技術】
【０００２】従来使用されている布製のバスマットは、風呂上りの足などに付着している水分の吸水力に乏しく、一人二人の使用後、そのバスマットを取り替えなければ、次から使う者は濡れたバスマットを使用しなければならない。又、濡れたバスマットは脱衣場の床を濡らしてしまう。
【考案の開示】
【考案が解決しようとする課題】
【０００３】通常の使用状態ならば、バスマットを取り替えることなく、使用者の足などに付着している水分を素早く吸収し、風呂上りの足元の不快感をなくする。又、バスマットによる脱衣場の床面の濡れをなくする。
【課題を解決するための手段】
【０００４】吸水性に優れた多孔質の奥能登珪藻土を用いたバスマットを作る。
【考案の効果】
【０００５】奥能登珪藻土を使用することにより、風呂上りの濡れた足などの水分が速やかに吸収される。通常の使用状態ならば、次からの使用者もバスマットが水濡れしていない為足裏がべとつかず、快適で衛生的である。又、奥能登珪藻土には優れた吸水力と、吸水した水分を素早く発散させる放出力がありバスマット下の床が濡れることがない。
【考案を実施するための最良の形態】
【０００６】本考案は吸水性に優れた奥能登珪藻土を、従来使用されているバスマット程度の大きさの木枠の表凹面に塗りつけ、バスマットとして使用できるようにしたものです。木枠と奥能登珪藻土の接着力を高める為に、あらかじめ木枠の表凹面に金網をホッチキスにより貼り付け、その金網の上に奥能登珪藻土を塗りつけ奥能登珪藻土の弱点の脆さを克服し、バスマットとして使用できるように剛性を持たせた。使用法は従来使用されているバスマットと同じように浴室出入り口に配置して使用します。このバスマットの保守法は、毛髪などの異物が表面に付着した場合には通常の掃除法と同じように掃除機などで行うだけでよく、特別に乾燥の処置をする必要はない。
【図面の簡単な説明】
【０００７】
【図１】本考案の平面図
【図２】本考案の正面断面図
【図３】本考案の要部拡大の正面断面図
【符号の説明】
【０００８】（１）木枠、（２）奥能登珪藻土、（３）金網、（４）ホッチキス
【図１】
0003155896.tif 000003
【図２】
0003155896.tif 000004
【図３】
0003155896.tif 000005
【手続補正書】
【提出日】平成21年9月10日(2009.9.10)
【手続補正１】
【補正対象書類名】実用新案登録請求の範囲
【補正対象項目名】全文
【補正方法】変更
【補正の内容】
【実用新案登録請求の範囲】
【請求項１】
奥能登珪藻土をバスマットの素材として使用できるように、バスマット程度の大きさの表凹面を有する木枠と、その表凹面に奥能登珪藻土を塗りつけたバスマット。
(57)【要約】      （修正有）【課題】全体形状を小型化・軽量化し、犬・猫等の装着時ストレスを軽減し、低コストで保管が容易な小動物用カラーを提供する。【解決手段】使用時に同一のメガホン型となるよう、扇型を円弧の中心点よりやや下方に中心を持つ緩やかな楕円の弧でカットした統一された形を特徴とする。両サイド受けの形で滑らかハードプラスチックホックを特定位置に複数取り付ける。【選択図】図１
0003155898.tif 000002
【実用新案登録請求の範囲】
【請求項１】
小動物用カラーにおいて、使用時に同一の筒形（メガホン形）となるよう、扇型を円弧の中心点よりやや下方に中心を持つ緩やかな楕円の弧でカットした統一された形を特徴とする小動物用カラー
【請求項２】
小動物用カラーにおいて、筒形（メガホン形）での使用を確保・固定するために、「ゲンコ」（はめ込む方）「バネ」（受ける方）両サイド受けの形で、プラスチックホックをハードタイプで滑らかにして複数取り付けた構造の小動物用カラー
【考案の詳細な説明】
【技術分野】
【０００１】  本考案は、使用時に同一の筒形（メガホン形）を形成する為に扇型を緩やかな楕円の弧でカットした統一された形に、固定用両サイド受けで、滑らかな表面のハードプラスチックホックを複数取り付けた小動物用カラーに関するものである。
【背景技術】
【０００２】  従来の小動物用カラーは、ドーナツ形からその二つの半径に挟まれる扇形の部分を取り除いた形に、金属ホック・プラスチック止め具やマジックテープ・スポンジ両面テープなどを使用して、使用時に円錐形やより広角の形に固定し、そのサイズによりそれぞれ異なる形状で利用されていた。
【考案の概要】
【考案が解決しようとする課題】
【０００３】  従来利用のドーナツ型からその二つの半径に挟まれる扇形の部分を取り除いた形の小動物用カラーは、二つの半径は１８０度より大きく、全体形状は大きく重い上に、サイズによりその基本形が統一されず様々で、保管上も不都合であった。
更に、使用時の円錐形やより広角のそれらの形から、犬・猫等に与えるストレスが大きく、ケースによっては狂ったように抵抗して継続装着が出来ない事態も発生していた。一方、使用時の形を固定するための止め具類は、金属ホック等頑丈なものは重い上にコストも高く、簡単なものでは着用中に外れ易く、プラスチック止め具は先端が細いその形状から犬・猫の毛や皮膚を傷めやすく、テープ類では毛を挟んだり着用中に外れるトラブルが発生するなどそれぞれ問題点を抱えていた。
従って、本考案の扇型を緩やかな楕円の弧でカットした、従来利用の逆ともいえる二つの半径が１８０度より小さい形状でその基本形を統一すると共に、使用時の筒形（メガホン形）も一方の統一基本形とすることで前述の欠点を解決しようとする一方、止め具でも、全面滑らかハードタイプのプラスチックホックを両サイド受けの形で複数取り付けることで、前述の問題点を解決しようとするものである。
【課題を解決するための手段】
【０００４】  本考案は、使用時に筒形（メガホン形）としてサイズに拘らず統一された基本形にして犬・猫の装着時ストレスを軽減するため、扇型を、円弧の中心点よりやや下方に中心を持つ緩やかな楕円の弧でカットした、全てのサイズに共通の基本形で統一することによりその全体形状を小さく軽量化している。同時に、筒形（メガホン形）での使用を確保・固定するため、「ゲンコ」（はめ込む方）−ホソ（Ｐｏｓｔ），「バネ」（受ける方）−アタマ（Ｃａｐ）と、両サイド受けの形でプラスチックホックをハードで滑らかにして複数取り付けた構造にすることで、軽量で低コスト、皮膚を傷めたり毛を挟んだりせず、着用中に外れることが殆んど無いなど、問題点を解決している。
【考案の効果】
【０００５】  上述の様に、本考案の小動物用カラーは二つの半径の角度が１８０度より小さく、サイズに関係なく基本形を統一したことにより、大量生産に適し、軽量で生産材料も少量で済むことからコストが軽減され、保管も容易で且つそのスペースも少なくてすむ。更に重要なことは、軽量化に加え、狭いところを出入りする犬・猫の習性を大切に、使用時の形をも筒形（メガホン形）で統一されるよう設計したことにより、犬・猫等の装着時ストレスが軽減され、かれらの装着時行動半径が狭められない。
（特に猫においては頭の部分が通れば通れるという認識に鑑み、従来技術に比してその効果の差は決定的である。）
又、使用時の形を確保・固定するホックをハードなプラスチックで表面の滑らかな両サイド受けの形で複数個、という形状構造とすることで、総コスト高・皮膚を傷める・毛を挟む・着用中に外れる（剥離強度は金属ホックより強い程である）などの従来の欠点をすべて解決している。更に、透明なカラー本体との軽量且つ障害感の少ないすっきりしたコンビネーションでも犬・猫等へのストレスが軽減されるが、従来のものと比べ、カラー本体・ホックの総重量で実際のところ３０％〜５０％軽量化されている。
【考案を実施するための形態】
【０００６】  扇型を円弧の中心点よりやや下方に中心を持つ緩やかな楕円の弧でカットし、二つの半径が１８０度より小さい角度を形成する形状で装着前のカラー基本形として統一する。一方、その基本形の重ね合わせ部分の両端部に、両サイド受けの形で全表面を滑らかにしたハードタイプのプラスチックホックを複数取り付けて完成形とする。この小動物用カラーで犬・猫等の頚部を包み込むように両端部を重ね合わせて筒形（メガホン形）に組み立て、最適な状態と思われる位置の対向するホックを留めて、最終使用形を確保・固定する。
【図面の簡単な説明】
【０００７】
【図１】本考案の小動物用カラーの一実施例を示す正面図である。
【図２】本小動物用カラーの使用時（装着時）の形状を示す斜視図である。
【符号の説明】
【０００８】１  カラー本体
２  バイアス
３ａ，３ｂ  プラスチックホック（ハードタイプ）
【図１】
0003155898.tif 000003
【図２】
0003155898.tif 000004
【手続補正書】
【提出日】平成21年9月3日(2009.9.3)
【手続補正１】
【補正対象書類名】実用新案登録請求の範囲
【補正対象項目名】全文
【補正方法】変更
【補正の内容】
【実用新案登録請求の範囲】
【請求項１】
小動物用カラーにおいて、使用時に同一のメガホン型となるよう、扇型を円弧の中心点よりやや下方に中心を持つ緩やかな楕円の弧でカットした統一された形を特徴とする小動物用カラー
【請求項２】
小動物用カラーにおいて、使用時の統一形状であるメガホン型を形成且つ維持するために、両サイド受けの形で滑らかハードプラスチックホックを特定位置に複数取り付けた構造を特徴とする請求項１記載の小動物用カラー
【手続補正２】
【補正対象書類名】明細書
【補正対象項目名】０００２
【補正方法】変更
【補正の内容】
【０００２】  従来の小動物用カラーは、ドーナツ形からその二つの半径に挟まれる扇形の部分を取り除いた形に、金属ホック・プラスチック止め具や面ファスナー・スポンジ両面テープなどを使用して、使用時に円錐形やより広角の形に固定し、そのサイズによりそれぞれ異なる形状で利用されていた。
【手続補正３】
【補正対象書類名】図面
【補正対象項目名】図１
【補正方法】変更
【補正の内容】
【図１】
0003155898.tif 000005
(57)【要約】      （修正有）【課題】一枚布でトイレカバーやクッションカバー等多機能に使用でき、ファッションの一環としても使用できるラブリーカバーを提供する。【解決手段】一枚布で切れ目のないカバーと袋状部を作成し、袋状部分にリボンを設けサイズ調整を可能とし、前記一枚布の表面に華やかな花を作り、インテリアの一部としても使用できる様に構成する。【選択図】図１
0003155891.tif 000002
【実用新案登録請求の範囲】
【請求項１】
今迄のイメージを変え早くカバーをつける事が出来  華やかになる。
１枚布なので丈夫で洗濯し易い。渇きが早い。清潔にしておける。
カバーの中も引っかかりがなく  小物入れやインテリャの１部として使用出来る。華やかさとオーガンジィの美しさで心はいつもフォーマルにその人も感性で使い道は色々と多機能に使える点。
まず  トイレのカバーとして  小さな空間からはじめて欲しいです
又  サイズもいずれのものにも合わせる事が出来る。小物入れは華やかさと共に収納が沢山出来る。
サイズも多機能。使用方法も多機能なラブリーカバー
【考案の詳細な説明】
【技術分野】
【０００１】  １枚布でのトイレカバーとし多機能で小物要入れにも【０００２】  オーガンジィーなので華やかに又簡単に装着できる。
中央に香り物をつける事が出来る。
【先行技術文献】
【特許文献】
【０００３】
【特許文献１】  登録実用新案  第３０７９５５５号
【０００４】
【考案の概要】
【考案が解決しようとする課題】
【０００５】  最も汚れ易く、色も変色したり、汚いイメージ。、一番清潔にしたい所なのでトイレのカバーとしては  手軽にカバーの上からもつける事が出来る。トイレを美しくする。渇きが早い。フオーマル気分。
【課題を解決するための手段】
【０００６】  綺麗を前提に見た目も華やかで抗菌性も配慮。時にはトイレにもフォーマル感を出し華やかにイメージを一新する。
中心に香りいれをとりつける事が出来る。
又  一枚布なので扱いやすい。材質的に乾きが早い。
クションカバーやランジェリー入れやインテリアの小道具の汚い部分の目隠し役的木にも活用出来多機能。
【考案の効果】
【０００７】華やかな割りには洗濯が早く簡単に出来る。突然の来客の時に助かる。汚れ物にカバーリングするとおしゃれ気分。
【図面の簡単な説明】
【０００８】
【図１】  上部の全体の正面図である。今までのイメージからフォーマル気分と他の機能を併用出来  その人の気分で用途をかえて使用して貰える様に上部に花を作りオーガンジィの材質にしましたので。
【図２】  裏面
【考案を実施するための形態】
【０００９】扱いがし易いように  袋状にし  材質も乾きの早いものですぐに形が回復する事を重視。
小物など入れとしても使用して貰える事を前提に１枚布で引っかかりが無く袋状に作りした。インテリアとしても使用出来る華やかさです。
【実施例】
【００１０】ファションの一環としてもたのしんで頂ける為上部に華を造る  尚  １枚布の特性を生かしつつ  ピンや金属ものや飾りを付けてない点で扱いやすい。抗菌性を持たせた。
香りも取り付けできるように配慮しました。
【符号の説明】
【００１１】１  オー−ガンジィのリボンでサイズに合わせて調節する。
２  チュールで華やかさを出す為飾りつけ。
３  一枚ぬのなので特別な技法により花を形取り。
４  香り入れとして活用出来るように配慮。
５  花や本体はオーガンガンジィーの材質。
６  オーガンジィーのリボンでサイズに合わせて調節する。〔裏面〕
７  その他    小物入れとしても活用。寝室や使い方は色々活用出来る。
とりあえずピンク色を基調に作りました。他の色もきれいです。
【図１】
0003155891.tif 000003
【図２】
0003155891.tif 000004
【手続補正書】
【提出日】平成21年9月10日(2009.9.10)
【手続補正１】
【補正対象書類名】実用新案登録請求の範囲
【補正対象項目名】全文
【補正方法】変更
【補正の内容】
【実用新案登録請求の範囲】
【請求項１】
ポイントは１枚布での作成で切れ目がないカバーと袋状の部分を有し  袋状の部分にリボンを設ける事でサイズも調節が出来き、裏面もきれいで  前記一枚布で表面に華やかな花を作り小物入れとしても収納出き、装着しやすく、インテリアの一部としても使えるようにしたカバー。
(57)【要約】      （修正有）【課題】台と錘が投入降下時に絡まない台仕掛け装置を提供する。【解決手段】雄ネジ２に撚り戻しフック付３を備えた台１に雌ねじ１０を備えた取り付け台を雄ネジと雌ねじにより取り付けたことを特徴とする。よって、本台仕掛け装置は台１と錘１９は一体で無いために錘が垂直に降下するので絡まない。【選択図】図１
0003155893.tif 000002
【実用新案登録請求の範囲】
【請求項１】
雄ネジに撚り戻しフック付を備えた台に雌ねじを備えた取り付け台を前記雄ネジと前記雌ねじにより取り付けたことを特徴とする台仕掛け装置。
【請求項２】
前記に、撚り戻しフック付に錘を取り付けたことを特徴とする台仕掛け装置。
【請求項３】
前記取り付け台に鋼鉄線の一端を取り付け、その鋼鉄線の他端に糸を取り付けたことを特徴とする請求項一記載の台仕掛け装置。
【考案の詳細な説明】
【技術分野】
【０００１】  本考案は釣り具に関する台仕掛け装置に関わるものである。
【背景技術】
【０００２】  従来の台と錘は一体となって投入降下時に仕掛けが斜めの角度で降下するので絡むので不便である。
【考案の概要】
【考案が解決しようとする課題】
【０００３】  しかし、これでは台と錘一体に関する不利不便を生じるので不安全な行動でもあるし不便である。
【課題を解決するための手段】
【０００４】  雄ネジに撚り戻しフック付を備えた台に雌ねじを備えた取り付け台を前記雄ネジと前記雌ねじにより取り付けたことを特徴とする台仕掛け装置。【０００５】  前記に、撚り戻しフック付に錘を取り付けたことを特徴とする台仕掛け装置。【０００６】  前記取り付け台に鋼鉄線の一端を取り付け、その鋼鉄線の他端に糸を取り付けたことを特徴とする台仕掛け装置。
【考案の効果】
【０００７】  よって、本考案の台仕掛け装置は台と錘は一体で無いために錘が垂直に降下するので絡まない。
【考案を実施するための形態】
【０００８】  本考案に関わる台仕掛け装置は図１、に示すように台１に雄ネジ２と雄ネジ２の下端に撚り戻し３を備え又、その台１に溝４と孔５を多数に備えその台１に雄ネジ２を挿入固定する。又、台１から成る鋼鉄線６を有しその両先端に輪７とＬ形８に曲げそのＬ形８を台１の溝４と孔５に挿入し座金９と雌ネジ１０で締める。又、針１４の糸１５の先端に撚り戻し１６を備えその撚り戻し１６を輪７の中を通し撚り戻しダブルフック１７の下側に取り付けその撚り戻しダブルフック１７をポールの輪１３に取り付ける。又、針１４ａ，１４ｂ，１４ｃを多数に備えることが出来る。降下後小突くと小さな当たりでも直結の為に獲物の当たりは敏速に手元に伝わる。又、糸１５を輪７に取り付けてもよい。
【図面の簡単な説明】
【０００９】
【図１】  本考案に係わる台仕掛け装置の斜視図である。
【図２】  本考案に係わる台仕掛け装置の溝と孔と雄ネジと撚り戻しフック付の台の拡大図である。
【符号の説明】
【０００８】    １  台                              ２  雄ネジ
３  撚り戻しフック付                ４  溝
５  孔                              ６  鋼鉄線
６ａ  鋼鉄線                          ７  輪
７ａ  輪                              ８  Ｌ形
９  座金                          １０  雌ねじ
１１  フック
１２  ポール（上記雌ネジ１０とフック１１とポール１２固定）
１３  ポール端輪                    １４  針
１４ａ  針                          １４ｂ  針
１４ｃ  針                            １５  糸
１５ａ  糸                            １６  撚り戻し
１６ａ  撚り戻し                      １７  撚り戻しダブルフック
１８  道糸                          １９  錘
【図１】
0003155893.tif 000003
【図２】
0003155893.tif 000004
【手続補正書】
【提出日】平成21年9月7日(2009.9.7)
【手続補正１】
【補正対象書類名】実用新案登録請求の範囲
【補正対象項目名】全文
【補正方法】変更
【補正の内容】
【実用新案登録請求の範囲】
【請求項１】
雄ネジと撚り戻しフック付を備えた台に雌ネジを備えた取り付け台を前記雄ネジと前記雌ネジにより取り付けたことを特徴とする台仕掛け装置。
【請求項２】
前記撚り戻しフック付に錘を取り付けたことを特徴とする請求項１記載の台仕掛け装置。
【請求項３】
前記取り付け台に鋼鉄線の一端を取り付け、その鋼鉄線の他端に糸を取り付けたことを特徴とする請求項１記載の台仕掛け装置。
(57)【要約】      （修正有）【課題】購入時にしおりが付いていない書籍等に用いることができ、読書中や持ち運びの際、落下して紛失することがなく、書籍等と一体化するしおりを提供する。【解決手段】布製リボン６に熱溶着、粘着シート等を用い書籍等との装着部分５を作る。これらと書籍等を両面テープで一体化する。【選択図】図２
0003155895.tif 000002
【実用新案登録請求の範囲】
【請求項１】
書籍等と一体化するため、リボンに円形等の形状の粘着部分を接合したことを特徴とするリボンしおり。
【請求項２】
しおりとしてリボン素材を用いることで、使用時厚みをとらない請求項１のリボンしおり。
【請求項３】
書籍等との接合部分が取り外し可能な請求項１ないし２のリボンしおり。
【考案の詳細な説明】
【技術分野】
【０００１】本考案は書籍等を読む場合、ページに目印としてはさむしおりに関するものである。
【背景技術】
【０００２】しおりは書籍等の購入時、既に付いているものもあるが、書籍等においてはしおりが付いていないものもある。この場合、書籍等の購入者が市販のものを購入し使用する場合もある。購入したしおりは書籍等とは一体とはならず、使用時においては紛失する場合もある。
【考案が解決しようとする課題】
【０００３】本考案は書籍等と一体となる、厚みの薄い後付けリボンしおりを提供することである。
【課題を解決する為の手段】
【０００４】〔図２〕に示すように、リボン６と書籍等との接合部分５を熱溶着、或いは両面テープなどで一体化し、粘着シートを用い書籍等と接合する。これにより、購入時しおりが装着されていなかった書籍等は一体化したしおり付の書籍等となる。これにより、しおりは落下などでの紛失を防ぐことが出来る。
【０００５】〔図２〕においての接合部分の素材は、軟質塩化ビニール、硬質塩化ビニール、合成紙、ポリプロピレン等であり、これらは例示である。
【０００６】〔図２〕においてのリボン６は布製であり、長さは１９０〜３４０ミリである。
【図面の簡単な説明】
【０００７】
【図１】は本考案の後付けリボンしおりと書籍等との接合方法である。図左のように、書籍等１の背の部分に後付けリボンしおり２を粘着シートで装着し、一体化する。また、図右のように、書籍等３の背の面積が少ないものは後付けリボンしおり４の装着部分に折りを入れることで一体化する。
【図２】は本考案の後付けリボンしおりの正面図である。装着部分５とリボン部分６で構成される。
【図３】は本考案の後付けリボンしおりの側面図である。円（点線）で囲まれた装着部分７とリボン部分８で構成される。
【図４】は本考案の後付けリボンしおりの装着部分の内容である。〔図３〕で円（点線）で囲まれた部分は装着部品９と１０で構成される。９と１０でリボン１１をはさみこむことでつくられる。
【図１】
0003155895.tif 000003
【図２】
0003155895.tif 000004
【図３】
0003155895.tif 000005
【図４】
0003155895.tif 000006
【手続補正書】
【提出日】平成21年9月9日(2009.9.9)
【手続補正１】
【補正対象書類名】実用新案登録請求の範囲
【補正対象項目名】請求項３
【補正方法】変更
【補正の内容】
【請求項３】
書籍等との接合部分が取り外し可能な請求項１または２記載のリボンしおり。
(57)【要約】      （修正有）【課題】軽くて携帯しやすい日よけ用具を提供する。【解決手段】車の日よけ窓用サンシェードに持ち手、又は、ポケットを付けた。【選択図】図１
0003155894.tif 000002
【実用新案登録請求の範囲】
【請求項１】
車の日よけ窓用サンシェードに持ち手を付けた日よけ用具
【請求項２】
車の日よけ窓用サンシェードにポケットを付けた日よけ用具
【考案の詳細な説明】
【技術分野】
【０００１】  本考案は、日よけ用具を軽くて、携帯しやすく、快適にする事に関する。
【背景技術】
【０００２】  従来の携帯する日よけ用具は、帽子や傘であった。
【考案の開示】
【考案が解決しようとする課題】
【０００３】  しかし、これでは、帽子で髪が乱れたり、混雑する所で傘を広げるのは、不便である。
【課題を解決するための手段】
【０００４】  そこで、車の日よけ窓用サンシェードに持ち手、又は、ポケットを付けた日よけ用具（図１）（図２）（図５）（図６）を考案した。
【考案の効果】
【０００５】  よって、本考案の、車の日よけ窓用サンシェードに持ち手、又は、ポケットを付けた日よけ用具により、髪が乱れず、混雑する所でも、狭い空間で、使用することが出来る。
【考案を実施するための最良の形態】
【０００６】  本考案に係わる、車の日よけ窓用サンシェードに持ち手をつけた日よけ用具は、（図１）に示すように、車の日よけ窓用サンシェードにポケットを付けている。または（図２）に示すように車の日よけ窓用サンシェードに持ち手をつけている。ポケットには、（図３）に示すように手を入れたり（図４）に示すように持ち手を入れるようにしている。
【図面の簡単な説明】
【０００７】
【図１】  本考案に係る車の日よけ窓用サンシェードにポケットを付けた図である。
【図２】  本考案に係わる車の日よけ窓用サンシェードに持ち手を付けた図である。
【図３】  本考案に係わる車の日よけ窓用サンシェードに付けたポケットに手を入れた図である。
【図４】  本考案に係わる車の日よけ窓用サンシェードに付けたポケットに持ち手を入れた図である。
【図５】  本考案に係わる車の日よけ窓用サンシェードに付けたポケットに入れるもち手の図である。
【図６】  本考案に係わる車の日よけ窓用サンシェードに、はさんでつける、クリップをつけた、もち手の図である
【符号の説明】
【０００８】  １      車の日よけ窓用サンシェード
２      ポケット
３      車の日よけ窓用サンシェードに直接つけた持ち手
４      手
５      ポケットに差し込む持ち手
６      クリップのついた持ち手
【図１】
0003155894.tif 000003
【図２】
0003155894.tif 000004
【図３】
0003155894.tif 000005
【図４】
0003155894.tif 000006
【図５】
0003155894.tif 000007
【図６】
0003155894.tif 000008
(57)【要約】      （修正有）【課題】一ヶ所から集中的に湯水を噴出できる場合と、対向する二ヶ所から湯水を噴出できる場合とに、使い分けできるシャワーヘッドを提供する。【解決手段】本体２の端部に第１ヘッド部３及び第２ヘッド部４を分岐し、少なくとも一方の第１ヘッド部３が、本体２に可動自在に支持されて、それが他方の第２ヘッド部４に対して並列する位置と、対向する位置とを取り得るように、可動する。【選択図】図２
0003155860.tif 000002
【実用新案登録請求の範囲】
【請求項１】
ホース(1) が一端に連結され、握り部を形成する本体(2) と、
その本体(2) の他端に分岐し、それぞれ多数の散水孔(6) を有する一対の第１ヘッド部(3) および第２ヘッド部(4) と、
を具備し、少なくとも一方の第１ヘッド部(3) が前記本体(2) に可動自在に支持されて、それが他方の第２ヘッド部(4) に対して、並列する位置と、対向する位置と、を取り得るように可動する構成としたことを特徴とするシャワーヘッド。
【考案の詳細な説明】
【技術分野】
【０００１】
本考案は、浴室や洗面室等に使用するハンドタイプのシャワーヘッドに関し、散水を一方向からと、二方向からとの両方に取り得る使い勝手の良いものに関する。
【背景技術】
【０００２】
従来、二方向から散水を行うことができるシャワー装置として、下記特許文献１及び特許文献２が存在した。
前者は、台座部にポール部を立設させ、ポール部の上部に二股状のシャワー部を設けたものであり、浴室に立設することにより介助者による要介護者の入浴介助を効率的に行うものである。
また、後者はホース先端に二股のシャワーヘッドを有し、水中ポンプを介した浴槽内の温水を入浴者の両肩や背中に向けて噴出できるようにしたものである。
【先行技術文献】
【特許文献】
【０００３】
【特許文献１】実用新案登録第３１３３２３５号公報
【特許文献２】特開２００５−１５２５７５号公報
【考案の概要】
【考案が解決しようとする課題】
【０００４】
シャワーヘッドにおいて、二方向から湯水を噴出できるものは、それが固定的になり、一方向から集中的に湯水を噴出させたいときには、それができない欠点がある。
そこで、本考案は一ヶ所から集中的に湯水を噴出できる場合と、二方向からも湯水を噴射して肩の両面側或いは腕等の両面側から噴出できる場合とに、使い分けできる汎用性の高いシャワーヘッドを提供することを課題とする。
【課題を解決するための手段】
【０００５】
本考案のシャワーヘッドは、ホース(1) が一端に連結され、握り部を形成する本体(2) と、
その本体(2) の他端に分岐し、それぞれ多数の散水孔(6) を有する一対の第１ヘッド部(3) および第２ヘッド部(4) と、
を具備し、少なくとも一方の第１ヘッド部(3) が前記本体(2) に可動自在に支持されて、それが他方の第２ヘッド部(4) に対して、並列する位置と、対向する位置と、を取り得るように可動する構成としたことを特徴とするシャワーヘッドである。
【考案の効果】
【０００６】
本考案のシャワーヘッドは、本体２から一対の第１ヘッド部３，第２ヘッド部４が分岐し、少なくとも一方の第１ヘッド部３が本体２に可動自在に支持されて、それが他方の第２ヘッド部４に対して並列する位置と対向する位置とを取り得るように可動するから、第１ヘッド部３，第２ヘッド部４を並列して夫々の散水孔６から集中的に湯水を噴出して使うことができると共に、第１ヘッド部３，第２ヘッド部４を互いに対向する位置に配置して、身体各部にその両側から湯水を噴出することができる。
即ち、必要に応じて一つのシャワーヘッドで、使い方を変えた湯水の噴出が可能となる。そのため使い勝手が良いシャワーヘッドを提供できる効果がある。
【図面の簡単な説明】
【０００７】
【図１】本発明のシャワーヘッド９の正面図及び側面図。
【図２】同シャワーヘッド９の第１ヘッド部３，第２ヘッド部４を開いた状態を示す斜視図。
【図３】同シャワーヘッド９の第１の使用状態を示す説明図。
【図４】同シャワーヘッド９の第２の使用状態を示す説明図。
【考案を実施するための形態】
【０００８】
次に、図面に基づいて本考案の実施の形態につき説明する。
本考案のシャワーヘッド９は、図１に示す如く、握り部を形成する本体２の一端側にホース１が連結され、他端側に一対の第１ヘッド部３，第２ヘッド部４が分岐されている。第１ヘッド部３，第２ヘッド部４の端部には、それぞれ多数の散水孔６が穿設されている。
【０００９】
この例では、第１ヘッド部３，第２ヘッド部４がそれぞれ軸支部５を介して、図２の如く開閉自在に枢着されている。即ち、第１に図１の如く、第１ヘッド部３，第２ヘッド部４が本体２の端部に傾斜して設けられた支持面８に並列して軸支され、夫々の先端部を一平面状に位置して、その散水孔６から集中的に湯水を散水できる位置と、第２に図２の如く、一対の第１ヘッド部３，第２ヘッド部４を対向する位置まで回動して、両側から中心に向けて湯水を散水できるものである。なお、それぞれの回動端には図示しないストッパを設けて、それ以上回動しないようにすることが好ましい。
【００１０】
なお、この例では第１ヘッド部３，第２ヘッド部４は共に、軸支部５により回動自在に形成したが、それに変えて何れか一方のみ移動または回動自在とし、図１の状態と図２の状態とにしてもよい。
そして、第１ヘッド部３，第２ヘッド部４を並列した場合には、図３の如く、シャワーヘッド９の一ヶ所から湯水を散水することができる。それにより、身体の一部に集中的に散水が可能となる。
【００１１】
また、一対の第１ヘッド部３，第２ヘッド部４を対向位置にしたときは、図４に示す如く、身体の両側から散水を行うことができる。実験によれば、このような両側の散水方法は、新鮮で気持ちの良いものであった。
【符号の説明】
【００１２】
１  ホース
２  本体
３  第１ヘッド部
４  第２ヘッド部
５  軸支部
６  散水孔
７  シャワーフック
８  支持面
９  シャワーヘッド
【図１】
0003155860.tif 000003
【図２】
0003155860.tif 000004
【図３】
0003155860.tif 000005
【図４】
0003155860.tif 000006
(57)【要約】【課題】持ち運びが容易であり、安定性を損なうことなく、しかも確実に釣竿を押さえ固定することを可能にする。【解決手段】バケツ、バッカン、水桶などの容器の底の一部に窪みを設けて竿尻を挿入することが出来るようにし、使用するときは、水や砂、又は道具などを入れて重量を増し、釣竿を押さえて固定する。【選択図】図２
0003155855.tif 000002
【実用新案登録請求の範囲】
【請求項１】
底の一部に窪みを設け、釣竿の竿尻等を挿入出来るようにしたバケツ、バッカン、水桶などの容器
【考案の詳細な説明】
【技術分野】
【０００１】
本考案は、魚釣りをするとき、釣竿を安定的に押さえて固定させることが可能な、バケツ、バッカン、水桶などの容器に関するものである。
【背景技術】
【０００２】
魚釣りで釣竿を置いて魚の当りを待つときなど、釣竿が自分の重みで或いは魚が掛かって引っ張られることにより竿尻が持ち上がること防ぐため、竿尻付近を押さえて固定しておく必要に駆られることが多いが、そのような場合、ブロックや石を持参し、或いは道具類の入った袋やクーラーボックスなどをやむなく臨時に使用しているのが実情である。
【０００３】
しかしながら、ブロックや石は重くて持ち運びには不便であり、袋やクーラーボックスは安定性に欠け、又、釣竿の出し入れの度にそれらを動かさなければならず煩わしさも伴う。
【考案の概要】
【考案が解決しようとする課題】
【０００４】
解決しようとする問題点は、持ち運びが容易であり、安定性を損なうことなく、しかも確実に釣竿を押さえ固定する点にある。
【課題を解決するための手段】
【０００５】
本考案は、釣りには必ず持参するバケツ、バッカン、水桶などの容器の底の一部に窪みを設けて竿尻を挿入することができるようにし、使用するときは、水や砂、又は道具などを入れて重量を増し、釣竿を押さえて固定することを特徴とする。
【考案の効果】
【０００６】
本考案の容器類は、空にして容易に持ち運ぶことが出来、使用するときは、水や砂、又は道具などを必要に応じて入れることにより重量を増し、釣竿を安定的に押さえて固定出来る。さらに、窪みの形状により釣竿の出し入れを容易にすることが出来る。
【図面の簡単な説明】
【０００７】
【図１】図１は容器としてバケツを採用した場合の、竿を挿入する横正面から見た図である。（実施例１）
【図２】図２は容器としてバケツを採用した場合の、実施方法を示した説明図である。（実施例２）
【考案を実施するための形態】
【０００８】
バケツ、バッカン、水桶などの容器の底の一部に窪みを設ける。
【実施例１】
【０００９】
実施例として、容器としてバケツを採用した場合を説明する。
【００１０】
図１は、バケツを、竿を挿入する横正面から見た図である。
【実施例２】
【００１１】
図２は、バケツに水を入れ、竿尻を窪みに挿入した見取図であり、釣竿は完全に固定されている。
【産業上の利用可能性】
【００１２】
釣竿だけでなく、他の棒状の物体又はロープ等を固定する用途にも適用できる。
【符号の説明】
【００１３】
１    バケツ
２    バケツの取っ手
３    窪み
４    水
５    釣竿
【図１】
0003155855.tif 000003
【図２】
0003155855.tif 000004